(57)【要約】【課題】多数段のスラットの昇降操作及び角度調節操作を可能とし、且つより簡易な構成で部分採光を可能とする横型ブラインド及び部分採光用部材を提供する。【解決手段】本発明の横型ブラインドは、昇降コード５により多数段のスラット３群を昇降可能とし、ラダーコード２により多数段のスラット３群の角度調節を可能とし、多数段のスラット３群が遮蔽状態となるよう角度調節された状態で昇降コード５が移動する際に、多数段のスラット３群のうち所定のスラット３は、昇降コード３の移動に伴い直接又は間接的に所定の接触抵抗が生じて移動し部分採光可能となるよう構成されている。本発明の部分採光用部材（コードガイド２０）は、所定のスラット３に対し部分採光可能とするよう着脱可能な部材として構成されている。【選択図】図２
2018053597.tif 000002
【特許請求の範囲】
【請求項１】
昇降コードによりスラットを昇降可能とし、ラダーコードによりスラットの角度調節を可能とする横型ブラインドであって、
前記スラットが遮蔽状態となるよう角度調節された状態で前記昇降コードが移動する際に、前記スラットは、前記昇降コードの移動に伴い直接又は間接的に所定の接触抵抗が生じて移動し部分採光可能となるよう構成されていることを特徴とする横型ブラインド。
【請求項２】
当該部分採光可能となる移動対象のスラットは、その重量より該移動対象のスラットに設けられる複数の挿通孔又は切欠きに対する接触抵抗が大きくなることで、前記昇降コードの移動で当該部分採光が可能になるよう構成されていることを特徴とする、請求項１に記載の横型ブラインド。
【請求項３】
前記昇降コードにより多数段のスラット群を昇降可能とし、ラダーコードにより多数段のスラット群の角度調節を可能とするよう構成され、前記昇降コードの移動に伴い前記多数段のスラット群のうち所定のスラットは、前記昇降コードの移動に伴い直接又は間接的に所定の接触抵抗が生じて移動し部分採光可能となるよう構成されていることを特徴とする、請求項１又は２に記載の横型ブラインド。
【請求項４】
前記接触抵抗は、当該角度調節の回動量で変化するよう構成されていることを特徴とする、請求項１から３のいずれか一項に記載の横型ブラインド。
【請求項５】
前記スラットが回動し略水平状態で当該接触抵抗が減少して部分採光が解除されるよう構成されていることを特徴とする、請求項１から４のいずれか一項に記載の横型ブラインド。
【請求項６】
前記昇降コードの上昇方向の移動操作で当該スラットが部分採光となるよう移動し、当該部分採光となるよう移動したスラットが、その回動により、前記ラダーコードの横糸に支持される原位置へと回復するよう構成されていることを特徴とする、請求項１から５のいずれか一項に記載の横型ブラインド。
【請求項７】
前記スラットに、前記昇降コードの移動を可能とする挿通孔又は切欠きが設けられ、当該挿通孔又は切欠きに、前記昇降コードの移動に伴い当該所定の接触抵抗を生じさせる部分採光用部材が設けられていることを特徴とする、請求項１から６のいずれか一項に記載の横型ブラインド。
【請求項８】
前記スラットに、前記昇降コードの移動に伴い当該接触抵抗を生じさせる部分採光用部材が設けられていることを特徴とする、請求項１から６のいずれか一項に記載の横型ブラインド。
【請求項９】
前記スラットに、前記昇降コードの移動に伴い当該接触抵抗を生じさせる形状の挿通孔又は切欠きが設けられていることを特徴とする、請求項１から６のいずれか一項に記載の横型ブラインド。
【請求項１０】
前記スラットに、前記昇降コードの移動を可能とする挿通孔又は切欠きが設けられ、前記昇降コードはテープ状に構成され、該テープ状の面が前記挿通孔又は切欠きに対し線接触して当該接触抵抗を生じさせるよう構成されていることを特徴とする、請求項１から９のいずれか一項に記載の横型ブラインド。
【請求項１１】
前記スラットの昇降を可能とするよう前記昇降コードを移動させる昇降装置と、前記スラットの角度調節を可能とするよう前記ラダーコードを移動させる角度調節装置とを備え、前記昇降装置と前記角度調節装置が、独立して動作するよう構成されていることを特徴とする、請求項１から１０のいずれか一項に記載の横型ブラインド。
【請求項１２】
昇降コードにより多数段のスラット群を昇降可能とし、ラダーコードにより多数段のスラット群の角度調節を可能とする横型ブラインドにおける部分採光用部材であって、
前記横型ブラインドにおける当該多数段のスラット群が遮蔽状態となるよう角度調節された状態で前記昇降コードが移動する際に、前記多数段のスラット群のうち所定のスラットが前記昇降コードの移動に伴い直接又は間接的に所定の接触抵抗が生じて移動し部分採光可能となるよう機能させるために、前記所定のスラットに対し着脱可能な部材として構成されていることを特徴とする部分採光用部材。
【発明の詳細な説明】
【技術分野】
【０００１】
本発明は、多数段のスラットの昇降操作及び角度調節操作を可能とする横型ブラインドに関する。
【背景技術】
【０００２】
横型ブラインドの一種として、多数段のスラットのうち一部のスラットについて部分的な採光（以下、「部分採光」と称する）を可能とする横型ブラインドがある。
【０００３】
例えば、多数段のスラットを上下方向に３分割するようそれぞれのラダーコードで吊下支持し、３本の開閉ポールに連結される３本の角度調節軸の回転により、それぞれ独立して分割領域のスラット群を選択的に角度調節可能とする横型ブラインドが開示されている（例えば、特許文献１参照）。
【０００４】
また、多数段のスラットを上下方向に２分割し、上部スラット群を支持する第１ラダーコードと、下部スラット群を支持する第２ラダーコードとを設け、上部スラット群と下部スラット群の角度調節の個別操作を可能とした横型ブラインドが開示されている（例えば、特許文献２参照）。
【０００５】
また、任意に定める特定部位のスラットの近傍に吊り上げコードの下端部を固定して、その上部と下部で採光状態を可変とする横型ブラインドが開示されている（例えば、特許文献３，４参照）。
【先行技術文献】
【特許文献】
【０００６】
【特許文献１】実開平７−３８５９０号公報
【特許文献２】特許第第５０３０８３１号明細書
【発明の概要】
【発明が解決しようとする課題】
【０００７】
従来の部分採光を可能とする横型ブラインドにおいて、特許文献１に開示される技法では、複数本の開閉ポールと、対応する複数本の角度調節軸を設ける必要があり、部分採光を可能とするための機構が複雑となる。
【０００８】
また、特許文献２に開示される技法では、部分採光のための機構（２種類の吊下げドラム等）が増大し複雑となる。
【０００９】
従って、より簡易な構成で部分採光を可能とする技法が望まれ、より好適には部分採光可能とするスラット位置を使用者側で任意に設定又は変更可能とする技法が望まれる。
【００１０】
本発明の目的は、多数段のスラットの昇降操作及び角度調節操作を可能とし、且つより簡易な構成で部分採光を可能とする横型ブラインド及び部分採光用部材を提供することにある。
【課題を解決するための手段】
【００１１】
本発明の横型ブラインドは、昇降コードによりスラットを昇降可能とし、ラダーコードによりスラットの角度調節を可能とする横型ブラインドであって、前記スラットが遮蔽状態となるよう角度調節された状態で前記昇降コードが移動する際に、前記スラットは、前記昇降コードの移動に伴い直接又は間接的に所定の接触抵抗が生じて移動し部分採光可能となるよう構成されていることを特徴とする。
【００１２】
また、本発明の横型ブラインドにおいて、当該部分採光可能となる移動対象のスラットは、その重量より該移動対象のスラットに設けられる複数の挿通孔又は切欠きに対する接触抵抗が大きくなることで、前記昇降コードの移動で当該部分採光が可能になるよう構成されていることを特徴とする。
【００１３】
また、本発明の横型ブラインドにおいて、前記昇降コードにより多数段のスラット群を昇降可能とし、ラダーコードにより多数段のスラット群の角度調節を可能とするよう構成され、前記昇降コードの移動に伴い前記多数段のスラット群のうち所定のスラットは、前記昇降コードの移動に伴い直接又は間接的に所定の接触抵抗が生じて移動し部分採光可能となるよう構成されていることを特徴とする。
【００１４】
また、本発明の横型ブラインドにおいて、前記接触抵抗は、当該角度調節の回動量で変化するよう構成されていることを特徴とする。
【００１５】
また、本発明の横型ブラインドにおいて、前記スラットが回動し略水平状態で当該接触抵抗が減少して部分採光が解除されるよう構成されていることを特徴とする。
【００１６】
また、本発明の横型ブラインドにおいて、前記昇降コードの上昇方向の移動操作で当該スラットが部分採光となるよう移動し、当該部分採光となるよう移動したスラットが、その回動により、前記ラダーコードの横糸に支持される原位置へと回復するよう構成されていることを特徴とする。
【００１７】
また、本発明の横型ブラインドにおいて、前記スラットに、前記昇降コードの移動を可能とする挿通孔又は切欠きが設けられ、当該挿通孔又は切欠きに、前記昇降コードの移動に伴い当該所定の接触抵抗を生じさせる部分採光用部材が設けられていることを特徴とする。
【００１８】
また、本発明の横型ブラインドにおいて、前記スラットに、前記昇降コードの移動に伴い当該接触抵抗を生じさせる部分採光用部材が設けられていることを特徴とする。
【００１９】
また、本発明の横型ブラインドにおいて、前記スラットに、前記昇降コードの移動に伴い当該接触抵抗を生じさせる形状の挿通孔又は切欠きが設けられていることを特徴とする。
【００２０】
また、本発明の横型ブラインドにおいて、前記多数段のスラット群に、前記昇降コードの移動を可能とする挿通孔又は切欠きが設けられ、前記部分採光可能とするスラットにおける挿通孔又は切欠きが、他のスラットにおける挿通孔又は切欠きに対し相対位置を変更させて構成されていることを特徴とする。
【００２１】
また、本発明の横型ブラインドにおいて、前記スラットに、前記昇降コードの移動を可能とする挿通孔又は切欠きが設けられ、前記昇降コードはテープ状に構成され、該テープ状の面が前記挿通孔又は切欠きに対し線接触して当該接触抵抗を生じさせるよう構成されていることを特徴とする。
【００２２】
また、本発明の横型ブラインドにおいて、前記スラットの昇降を可能とするよう前記昇降コードを移動させる昇降装置と、前記スラットの角度調節を可能とするよう前記ラダーコードを移動させる角度調節装置とを備え、前記昇降装置と前記角度調節装置が、独立して動作するよう構成されていることを特徴とする。
【００２３】
更に、本発明の部分採光用部材は、昇降コードにより多数段のスラット群を昇降可能とし、ラダーコードにより多数段のスラット群の角度調節を可能とする横型ブラインドにおける部分採光用部材であって、前記横型ブラインドにおける当該多数段のスラット群が遮蔽状態となるよう角度調節された状態で前記昇降コードが移動する際に、前記多数段のスラット群のうち所定のスラットが前記昇降コードの移動に伴い直接又は間接的に所定の接触抵抗が生じて移動し部分採光可能となるよう機能させるために、前記所定のスラットに対し着脱可能な部材として構成されていることを特徴とする。
【発明の効果】
【００２４】
本発明によれば、より簡易な構成で部分採光を可能とする横型ブラインドを構成することができる。また、より好適には部分採光可能とするスラット位置を使用者側で任意に設定又は変更可能な横型ブラインドを構成することができる。
【図面の簡単な説明】
【００２５】
【図１】本発明による一実施形態の横型ブラインドの概略構成を示す正面図である。
【図２】本発明による一実施形態の横型ブラインドにおける部分採光用部材として機能するコードガイドを装着したスラットの概略構成を示す斜視図である。
【図３】（ａ）は本発明に係る部分採光用部材としてのコードガイドをスラットに組み付ける際の組付図であり、（ｂ），（ｃ）はそれぞれ本発明に係る部分採光用部材として機能するコードガイドの概略構成を示す平面図及び断面図である。
【図４】（ａ），（ｂ），（ｃ）は、それぞれ本発明に係る部分採光用部材として機能するコードガイドによるスラットの全閉時、部分採光時、及び水平時（全採光時）の動作を概略的に示す側面図である。
【図５】（ａ），（ｂ），（ｃ），（ｄ）は、それぞれ本発明による一実施形態の横型ブラインドにおけるスラットの水平時（全採光時）、逆全閉時、部分採光時、及び全閉時のスラット動作を概略的に示す側面図である。
【図６】（ａ）は本発明による他の実施形態の横型ブラインドに対し本発明に係る部分採光用部材として機能するコードガイドを装着したスラットの概略構成を示す斜視図であり、（ｂ）はその部分採光時の動作を概略的に示す側面図である。
【図７】（ａ）は本発明に係る部分採光用部材として機能する変形例のコードガイドを装着したスラットの概略構成を示す斜視図であり、（ｂ）はその部分採光時の動作を概略的に示す側面図である。
【図８】（ａ）は本発明に係る部分採光用部材として機能するスラットガイドを装着したスラットの概略構成を示す斜視図であり、（ｂ）はその部分採光時の動作を概略的に示す側面図である。
【図９】（ａ）は本発明に係る実施例１の部分採光用スラットの概略構成を示す斜視図であり、（ｂ）はその部分採光時の動作を概略的に示す側面図である。
【図１０】（ａ）は本発明に係る実施例２の部分採光用スラットの概略構成を示す斜視図であり、（ｂ）はその部分採光時の動作を概略的に示す側面図である。
【図１１】（ａ）は本発明に係る実施例３の部分採光用スラットの概略構成を示す斜視図であり、（ｂ）はその部分採光時の動作を概略的に示す側面図である。
【発明を実施するための形態】
【００２６】
以下、図面を参照して、本発明による一実施形態の横型ブラインドを説明する。尚、本願明細書中、図１に示す横型ブラインドの正面図に対して、図示上方及び図示下方をスラットの吊り下げ方向に準じてそれぞれ上方向（又は上側）及び下方向（又は下側）と定義し、図示左方向を横型ブラインドの左側、及び、図示右方向を横型ブラインドの右側と定義して説明する。また、以下に説明する例では、図１に示す横型ブラインドの正面図に対して、視認する側を前側（又は室内側）、その反対側を後側（又は室外側）とする。
【００２７】
（全体構成）
図１は、本発明による一実施形態の横型ブラインドの概略構成を示す正面図である。ここでは、本発明に係る部分採光を可能とする横型ブラインドの一例として図１に示す電動横型ブラインドを例示して説明するが、本発明は図１に示す例に限定されない。
【００２８】
例えば、昇降コードの巻き取り、或いは巻き戻しのための昇降軸と、スラットを支持するラダーコードの移動のための角度調節軸を、１軸の駆動軸とする電動横型ブラインドに限らず、これら昇降軸と角度調節軸を個別に持つ２軸の駆動軸とする電動横型ブラインドでもよい。また、電動式に限らず、手動操作で多数段のスラットの昇降操作及び角度調節操作を可能とする横型ブラインドでもよい。即ち、本発明に係る横型ブラインドは、電動式であるか手動操作式であるかを問わず、多数段のスラットの昇降操作及び角度調節操作を可能とする構成に、本発明に係る部分採光を適用可能である点に留意する。
【００２９】
図１に示す電動横型ブラインドは、ヘッドボックス１の左右両側部及び中央部から垂下されるラダーコード２を介して多数段のスラット３が吊下支持され、そのラダーコード２の下端にボトムレール４が吊下支持されている。
【００３０】
ヘッドボックス１の左右両側部のラダーコード２の近傍において、ヘッドボックス１から昇降コード５が吊下支持され、その昇降コード５の下端にボトムレール４が取着されている。尚、図１には、昇降コード５としてテープ状のコードを例示しているが、紐状のコードでもよく、従って昇降コード５と称するときは、テープ状又は紐状のコードを含む。
【００３１】
ヘッドボックス１内にはラダーコード２及び昇降コード５を吊下する支持部材６が配設され、その支持部材６には六角棒状の駆動軸７が挿通されている。
【００３２】
支持部材６は、ラダーコード２を上下方向に移動可能に吊下するチルトドラム６１と、昇降コード５を巻き取り、或いは巻き戻し可能とする巻取ドラム６２を備えている。チルトドラム６１及び巻取ドラム６２は、駆動軸７の回転に伴い回転するようになっている。
【００３３】
そして、ヘッドボックス１の一端側にはモーター８が配設され、そのモーター８の出力軸に駆動軸７の一端が連結されている。そして、モーター８の作動に基づいて駆動軸７が正逆転され、駆動軸７の正逆転に基づいてラダーコード２を介して各スラット３が回動され、或いは昇降コード５を介してボトムレール４が昇降されてスラット３が昇降される。
【００３４】
図示を省略するが、ヘッドボックス１内にはＣＰＵを内蔵した制御コントローラと、この制御コントローラ及びモーター８へ電源供給する電源ユニットが配設される。そして、この制御コントローラは、スラット３の上限位置を検知する上限位置検知センサー１３の出力値を監視する機能、ヘッドボックス１内に配設される駆動軸７の回転量や回転速度を検知するエンコーダ１４の出力値を監視する機能、及び、これら上限位置検知センサー１３及びエンコーダ１４の出力値の監視とともに、操作スイッチ（図示しない）からの操作信号に基づいてモーター８の駆動制御を行う機能等を有している。
【００３５】
ところで、図１に例示する本発明に係る横型ブラインドでは、昇降コード５を挿通するための挿通孔３ａがそれぞれのスラット３の前後方向の略中央部に設けられており、一部のスラット３における挿通孔３ａには、本発明に係る部分採光用部材として機能するコードガイド２０が設けられている。
【００３６】
（部分採光用部材として機能するコードガイド）
コードガイド２０が設けられているスラット３は、部分採光用スラットとして構成される。図１に示す例では、コードガイド２０を設置している上方から３段目及び５段目のスラット３が部分採光用スラットとして構成されている。このような部分採光用スラットは、多数段のスラット３のうち任意のスラット３に対し設定できる。そして、コードガイド２０を設置するスラット３は、使用者によって変更できる。
【００３７】
また、図１に示す例では、ヘッドボックス１から２本の昇降コード５を垂下させており、部分採光用スラットとして構成するスラット３に対し、それぞれの昇降コード５を挿通するその全ての挿通孔３ａにコードガイド２０を設置している。３本以上の昇降コード５を垂下させる構成では、左右バランスのとれるようにコードガイド２０を設置するのが好ましいが、部分採光用スラットとして構成するスラット３に対し、全ての挿通孔３ａにコードガイド２０を設置するのがより好ましい。
【００３８】
図２には、本実施形態の横型ブラインドにおける部分採光用部材として機能するコードガイド２０を装着したスラット３の概略構成を示している。各スラット３は、その前後方向で一対のラダーコード２間に接続される横糸２ａに対し載置され、各スラット３の前後方向の略中央部に昇降コード５を挿通する挿通孔３ａが設けられている。そして、挿通孔３ａに対しコードガイド２０を装着したスラット３が部分採光用スラットとして機能する。
【００３９】
図３（ａ）には、コードガイド２０をスラット３に組み付ける際の組付図を示しており、図３（ｂ），（ｃ）にはそれぞれコードガイド２０の概略構成を示す平面図と、Ａ−Ａ’断面図を示している。
【００４０】
図３（ａ）に示すように、コードガイド２０はスラット３の挿通孔３ａに組み付けることができるととともに、取り外すこともできる。即ち、コードガイド２０は、合成樹脂で形成され、図３（ａ）及び図３（ｂ）に示すように基部２１からハの字で二股状に延びる一対の腕部２２を有している。そして、図３（ａ）及び図３（ｃ）に示すように基部２１の下方に設けられる爪部２３と、それぞれの腕部２２の下方に設けられる爪部２４により、腕部２２の弾性変形を伴って、スラット３の挿通孔３ａに組み付け可能となっている。一対の腕部２２は、昇降コード５との接触面側を曲面状に形成し高さ方向に厚みを持たせた内壁部２２ａと、その先端部２２ｂによって、挿通孔３ａに弾性変形させて組み付けられた際には挿通孔３ａの開口面積よりも小さい開口部を形成し、これによりスラット３が傾斜したときには昇降コード５に対し所定の接触抵抗を生じさせる構成となっている。
【００４１】
即ち、図４（ａ）に示すように、スラット３を水平状態から逆全閉状態へと回動させた状態では、コードガイド２０と昇降コード５との間で接触抵抗が大きくなる。
【００４２】
図４（ａ）に示す状態から続いて、図４（ｂ）に示すように多数段のスラット３のピッチ間隔以下で昇降コード５を上昇方向へ移動させると、この昇降コード５の移動に伴って、コードガイド２０を装着したスラット３も横糸２ａの支持から離脱して上方へ移動する。このとき、コードガイド２０を装着していないスラット３は移動しない範囲の昇降コード５の移動が可能であり、コードガイド２０を装着したスラット３は、その直近上位のスラット３に近接する位置まで相対移動することができる。すると、逆全閉状態の多数段のスラット３のうちコードガイド２０を装着したスラット３の下方が部分採光の状態となり、従ってコードガイド２０を装着したスラット３が部分採光用スラットとして機能する。
【００４３】
図４（ｂ）に示す状態から続いて、図４（ｃ）に示すようにスラット３を部分採光状態から水平状態へと回動させると、当該接触抵抗が減少して小さくなり当該部分採光となるよう移動したスラット３が横糸２ａに支持される原位置へと回復する。スラット３を部分採光状態から全閉状態へと回動させた場合も、このスラット３の水平状態を経ることになるため、当該部分採光となるよう移動したスラット３が横糸２ａに支持される原位置へと回復する。
【００４４】
従って、このような部分採光用スラットでは、コードガイド２０による当該接触抵抗が、当該スラット３の角度調節の回動量で変化するよう構成されている。特に、昇降コード５の上昇方向の移動操作で当該部分採光用スラットが部分採光となるよう移動し、当該部分採光用スラットを含む多数段のスラット群の回動により当該部分採光となるよう移動した部分採光用スラットが横糸２ａに支持される原位置へと回復するよう構成されている。即ち、多数段のスラット群が部分採光状態から回動すると、略水平状態でコードガイド２０による当該接触抵抗が減少して部分採光が解除されるよう構成されている。
【００４５】
コードガイド２０は、部分採光用スラットとして構成するスラット３に対し、このような部分採光となる移動と回復動作を行うのに十分な接触抵抗の増減を可能とする形状・材質であればよく、図３に示す例に限らず任意の形状・材質とすることができる。
【００４６】
そして、このようなコードガイド２０を設置した部分採光用スラットは、多数段のスラット３のうち任意のスラット３に対して設定できる。そして、コードガイド２０を設置するスラット３は、使用者によって変更できる。ただし、実用上では、図４（ｂ）の動作で理解されるが、部分採光用スラットに隣接するスラット３にコードガイド２０を設置する意義はない。
【００４７】
（全体動作）
図５（ａ），（ｂ），（ｃ），（ｄ）は、それぞれ本実施形態の横型ブラインドにおけるスラット３の水平時（全採光時）、逆全閉時、部分採光時、及び全閉時のスラット動作を概略的に示す側面図である。
【００４８】
図５（ａ）に示すように本実施形態の横型ブラインドでは、ヘッドボックス１内の支持部材６は、ラダーコード２を上下方向に移動可能に吊下するチルトドラム６１と、昇降コード５を巻き取り、或いは巻き戻し可能とする巻取ドラム６２を備えている。チルトドラム６１及び巻取ドラム６２は、駆動軸７の回転に伴い回転するようになっている。
【００４９】
ラダーコード２を介して多数段のスラット３が吊下支持され、そのラダーコード２の下端にボトムレール４が吊下支持されている。そして、ヘッドボックス１から昇降コード５が吊下支持され、その昇降コード５の下端にボトムレール４が取着されている。
【００５０】
図５（ａ）に示す水平状態のスラット３にて、駆動軸７を逆回転させると、図５（ｂ）に示すようにコードガイド２０を設置した部分採光用スラットを含む多数段のスラット３が逆全閉となる。
【００５１】
図５（ｂ）に示す逆全閉状態の多数段のスラット３に対し、その多数段のスラット３のピッチ間隔以下で昇降コード５を上昇方向へ移動させるよう駆動軸７を継続して逆回転させると、図５（ｃ）に示すように、この昇降コード５の移動に伴って、コードガイド２０を装着したスラット３が横糸２ａの支持から離脱して上方へ移動する。このとき、コードガイド２０を装着していないスラット３は移動しないため、コードガイド２０を装着したスラット３の下方が部分採光の状態となる。尚、図５（ｃ）に示す部分採光の状態で更に駆動軸７を継続して逆回転させることで、ボトムレール４が上昇し多数段のスラット３は最下段のスラット３から順に畳み込まれる。即ち、各スラット３をピッチ間隔以上に上昇方向へ移動させた場合、部分採光用スラットはその直近上位のスラット３に当接するまで部分採光状態を維持して上昇し、その後、ボトムレール４に最下段のスラット３から順に畳み込まれる。
【００５２】
図５（ｃ）に示す部分採光状態の多数段のスラット３に対し、駆動軸７を正回転させると、多数段のスラット３の水平状態を経て当該部分採光となるよう移動した部分採光用スラットが横糸２ａに支持される原位置へと回復するため多数段のスラット３が全閉状態となる。更に駆動軸７を継続して正回転させると、多数段のスラット３が全閉状態でボトムレール４が下降する。
【００５３】
尚、この上昇操作及び下降操作におけるスラット３の回動方向は逆の関係となるよう構成してもよい。
【００５４】
以上のように、本発明に係る横型ブラインドによれば、特定のスラット３に対するコードガイド２０の装着の有無のみで部分採光の状態を実現できるため、従来技法よりも簡易な構成で部分採光を可能とする横型ブラインドを構成することができる。また、部分採光可能とするスラット位置を使用者側で任意に設定又は変更することができる。
【００５５】
尚、図４に示す例では、多数段のスラット３の各々をそれぞれのラダーコード２の横糸２ａに載置する例を説明したが、多数段のスラット３の各々をそれぞれのラダーコード２の２本の横糸２ａ，２ｂ間に挿入載置する構成でもよい。
【００５６】
例えば、図６（ａ）は本発明による他の実施形態の横型ブラインドとして、多数段のスラット３の各々をそれぞれのラダーコード２の２本の横糸２ａ，２ｂ間に挿入載置するよう構成した例を示しており、図６（ｂ）はその部分採光時の動作を概略的に示している。
【００５７】
図６（ｂ）に示すように、多数段のスラット３の各々をそれぞれのラダーコード２の２本の横糸２ａ，２ｂ間に挿入載置する構成では、コードガイド２０を装着したスラット３（部分採光用スラット）の移動範囲が横糸２ａ，２ｂ間で規制されるが、部分採光状態を実現可能である。
【００５８】
また、上述した例では、スラット３の挿通孔３ａをスラット３の前後方向略中央部に設けている例を説明したが、スラット３の前後方向端部近傍に設けている場合も同様に動作する。
【００５９】
（切欠き用のコードガイド）
上述した例では、スラット３について、昇降コード５を挿通する挿通孔３ａに対し部分採光を実現するためのコードガイド２０を設ける例を説明したが、昇降コード５を案内する切欠き３ｂをスラット３に設けている場合にも、この切欠き３ｂに適合した形状・材質で部分採光を実現するためのコードガイド２０ａを装着することで、部分採光用スラットを構成することができる。
【００６０】
例えば、図７（ａ）は本発明による他の実施形態の横型ブラインドとして、多数段のスラット３の各々に昇降コード５を案内する切欠き３ｂを設けている際に、部分採光用スラットを構成するスラット３に対してその切欠き３ｂに適合する形状・材質のコードガイド２０ａを装着する例を示している。
【００６１】
コードガイド２０ａは、基本構造として上述した図３（ａ）及び図３（ｂ）とほぼ同様に構成することができ、基部２１からハの字で二股状に延びる一対の腕部２２を有している。そして、基部２１の下方に設けられる爪部（図示略）と、それぞれの腕部２２の下方に設けられる爪部２４により、腕部２２の弾性変形を伴って、スラット３の切欠き３ｂに組み付け可能となっている。一対の腕部２２は、昇降コード５との接触面側を曲面状に形成し高さ方向に厚みを持たせ、切欠き３ｂに弾性変形させて組み付けられた際には切欠き３ｂの開口面積よりも小さい開口部を形成し、これによりスラット３が傾斜したときには昇降コード５に対し所定の接触抵抗を生じさせる構成となっている。
【００６２】
そして、図７（ｂ）に示すように、特定のスラット３の切欠き３ｂにコードガイド２０ａを装着して構成された部分採光用スラットでは、上述したコードガイド２０の例と同様に、コードガイド２０ａにおける昇降コード５に対する接触抵抗によって昇降コード５の上昇方向の移動時に部分採光が実現される。そして、この接触抵抗が、当該スラット３の角度調節の回動量で変化するよう構成されている。
【００６３】
特に、昇降コード５の上昇方向の移動操作で当該部分採光用スラットが部分採光となるよう移動し、当該部分採光用スラットを含む多数段のスラット群の回動により当該部分採光となるよう移動した部分採光用スラットが横糸２ａに支持される原位置へと回復するよう構成される。即ち、多数段のスラット群が部分採光状態から回動すると、略水平状態でコードガイド２０ａによる当該接触抵抗が減少して部分採光が解除される。
【００６４】
本例においても、３本以上の昇降コード５を垂下させる構成では、左右バランスのとれるようにコードガイド２０ａを設置するのが好ましいが、部分採光用スラットとして構成するスラット３に対し、全ての切欠き３ｂにコードガイド２０ａを設置するのがより好ましい。
【００６５】
（部分採光用部材として機能するスラットガイド）
上述した例では、スラット３について、昇降コード５を挿通する挿通孔３ａ又は切欠き３ｂに対し部分採光を実現するためのコードガイド２０又は２０ａを設ける例を説明したが、挿通孔３ａ又は切欠き３ｂの上部にて昇降コード５に対する所定の接触抵抗を生じさせるよう構成したスラットガイド２０ｂをスラット３に着脱可能に設置して、部分採光用スラットを構成することができる。このようなスラットガイド２０ｂは、スラット形状、並びに昇降コード５を挿通する挿通孔３ａ、又は昇降コード５を案内する切欠き３ｂに適合した形状・材質で形成することができる。
【００６６】
例えば、図８（ａ）は本発明による他の実施形態の横型ブラインドとして、多数段のスラット３の各々に昇降コード５を挿通する挿通孔３ａを設けている際に、部分採光用スラットを構成するスラット３に対してそのスラット形状及び挿通孔３ａに適合する形状・材質のスラットガイド２０ｂを装着する例を示している。
【００６７】
スラットガイド２０ｂは、スラット３の上表面に係合する本体部２５の略中央部に、基本構造として上述した図３（ａ）及び図３（ｂ）とほぼ同様に構成される基部２１と、この基部２１からハの字で二股状に延びる一対の腕部２２とを有するコードガイド２０が形成されている。そして、本体部２５の下方に設けられる爪部２３，２４により、スラット３に組み付け可能となっている。このコードガイド２０は、挿通孔３ａの上部に位置するようになっている。一対の腕部２２は、昇降コード５との接触面側を曲面状に形成し高さ方向に厚みを持たせ、挿通孔３ａの開口面積よりも小さい開口部を形成し、これによりスラット３が傾斜したときには昇降コード５に対し所定の接触抵抗を生じさせる構成となっている。
【００６８】
そして、図８（ｂ）に示すように、特定のスラット３にスラットガイド２０ｂを装着して構成された部分採光用スラットでは、上述したコードガイド２０の例と同様に、スラットガイド２０ｂの略中央部に設けられているコードガイド２０における昇降コード５に対する接触抵抗によって昇降コード５の上昇方向の移動時に部分採光が実現される。そして、この接触抵抗が、当該スラット３の角度調節の回動量で変化するよう構成されている。
【００６９】
特に、昇降コード５の上昇方向の移動操作で当該部分採光用スラットが部分採光となるよう移動し、当該部分採光用スラットを含む多数段のスラット群の回動により当該部分採光となるよう移動した部分採光用スラットが横糸２ａに支持される原位置へと回復するよう構成される。即ち、多数段のスラット群が部分採光状態から回動すると、略水平状態でスラットガイド２０ｂの略中央部に設けられているコードガイド２０における当該接触抵抗が減少して部分採光が解除される。
【００７０】
尚、図８に示す例では、スラットガイド２０ｂをスラット３の上部から着脱可能に設置して、そのコードガイド２０を挿通孔３ａ（或いは切欠き）の上部に位置させる例を説明したが、スラットガイド２０ｂをスラット３の下部から着脱可能に設置して、そのコードガイド２０を挿通孔３ａ（或いは切欠き）の下部に位置させるよう構成してもよい。
【００７１】
（挿通孔の形状変更）
上述した例では、スラット３に対し、コードガイド２０（又は２０ａ）、或いはスラットガイド２０ｂを装着して部分採光用スラットを構成する例を説明したが、挿通孔３ａを形状変更して昇降コード５に対する所定の接触抵抗を生じさせるよう形成することで、部分採光用スラットを構成することができる。このような部分採光用スラットは、使用者側で選択的に設置変更することは許容されないが、部品追加なく低廉化させることができ、従来技法よりもより簡易な構成で部分採光を可能とする横型ブラインドを構成することができる。
【００７２】
例えば、図９（ａ）は本発明による他の実施形態の横型ブラインドとして、多数段のスラット３の各々に昇降コード５を挿通する挿通孔３ａを設けている際に、部分採光用スラットを構成するスラット３については、切曲げ加工による切曲片３１を有するよう、その挿通孔３ａの形状を変更した例を示している。切曲片３１の形状・大きさは随意、挿通孔３ａの位置や大きさ等に応じて定めることができる。
【００７３】
そして、図９（ｂ）に示すように、切曲片３１を設けた挿通孔３ａを有する部分採光用スラットでは、この挿通孔３ａにおける昇降コード５に対する接触抵抗によって昇降コード５の上昇方向の移動時に部分採光が実現される。そして、この接触抵抗が、当該スラット３の角度調節の回動量で変化するよう構成されている。
【００７４】
特に、昇降コード５の上昇方向の移動操作で当該部分採光用スラットが部分採光となるよう移動し、当該部分採光用スラットを含む多数段のスラット群の回動により当該部分採光となるよう移動した部分採光用スラットが横糸２ａに支持される原位置へと回復するよう構成される。即ち、多数段のスラット群が部分採光状態から回動すると、略水平状態で切曲片３１を設けた挿通孔３ａによる当該接触抵抗が減少して部分採光が解除される。
【００７５】
挿通孔の形状変更の別例として、例えば、図１０（ａ）は多数段のスラット３の各々が厚みを有する木製等の板状体である場合に、部分採光用スラットを構成するスラット３については、その挿通孔３ａの開口を狭める湾曲凸部３２を有するよう形状を変更した例を示している。湾曲凸部３２の形状・大きさは随意、挿通孔３ａの位置や大きさ等に応じて定めることができる。
【００７６】
そして、図１０（ｂ）に示すように、湾曲凸部３２を設けた挿通孔３ａを有する部分採光用スラットでは、この挿通孔３ａにおける昇降コード５に対する接触抵抗によって昇降コード５の上昇方向の移動時に部分採光が実現される。そして、本例においても、昇降コード５の上昇方向の移動操作で当該部分採光用スラットが部分採光となるよう移動し、当該部分採光用スラットを含む多数段のスラット群の回動により当該部分採光となるよう移動した部分採光用スラットが横糸２ａに支持される原位置へと回復するよう構成される。
【００７７】
（挿通孔の相対位置変更）
また、挿通孔３ａの相対位置を変更して昇降コード５に対する所定の接触抵抗を生じさせるよう形成することで、部分採光用スラットを構成することができる。このような部分採光用スラットは、使用者側で選択的に設置変更することは許容されないが、部品追加なく低廉化させることができ、従来技法よりもより簡易な構成で部分採光を可能とする横型ブラインドを構成することができる。特に、昇降コード５がテープ状に構成されているときには、スラット３に設けられている挿通孔３ａ（又は切欠きでもよい）に対し、昇降コード５におけるテープ状の面が線接触して当該接触抵抗を生じさせるよう構成することができる。
【００７８】
例えば、図１１（ａ）は本発明による他の実施形態の横型ブラインドとして、多数段のスラット３の各々に昇降コード５を挿通する挿通孔３ａを設けている際に、部分採光用スラットを構成するスラット３については、挿通孔３ａの相対位置を変更した例を示している。
【００７９】
そして、図１１（ｂ）に示すように、挿通孔３ａの相対位置を変更して構成される部分採光用スラットでは、この挿通孔３ａにおける昇降コード５に対する接触抵抗によって昇降コード５の上昇方向の移動時に部分採光が実現される。そして、本例においても、昇降コード５の上昇方向の移動操作で当該部分採光用スラットが部分採光となるよう移動し、当該部分採光用スラットを含む多数段のスラット群の回動により当該部分採光となるよう移動した部分採光用スラットが横糸２ａに支持される原位置へと回復するよう構成される。
【００８０】
以上、特定の実施形態の例を挙げて本発明を説明したが、本発明は前述の実施形態の例に限定されるものではなく、その技術思想を逸脱しない範囲で種々変形可能である。例えば、電動式に限らず、手動操作で多数段のスラットの昇降操作及び角度調節操作を可能とする横型ブラインドに対し、部分採光用スラットを設定できる。
【００８１】
特に、上述した実施形態の例では、スラット３の昇降を可能とするよう昇降コード５を移動させる昇降装置（巻取ドラム６２）と、スラット３の角度調節を可能とするようラダーコード２を移動させる角度調節装置（チルトドラム６１）とを、駆動軸７の回転で連動して動作する例を説明したが、例えば個別の駆動軸を用いて、この昇降装置と角度調節装置とを独立して動作させるよう構成することもできる。
【産業上の利用可能性】
【００８２】
本発明によれば、より簡易な構成で部分採光を可能とする横型ブラインドを構成することができ、より好適には部分採光可能とするスラット位置を使用者側で任意に設定又は変更可能な横型ブラインドを構成することができるので、多数段のスラットの昇降操作及び角度調節操作を可能とする横型ブラインドの用途に有用である。
【符号の説明】
【００８３】
１  ヘッドボックス
２  ラダーコード
２ａ，２ｂ  ラダーコードの横糸
３  スラット
３ａ  挿通孔
３ｂ  切欠き
４  ボトムレール
５  昇降コード
６  支持部材
２０，２０ａ  コードガイド
２０ｂ  スラットガイド
３１  挿通孔の切曲片
３２  湾曲凸部
６１  チルトドラム
６２  巻取ドラム
【図１】
2018053597.tif 000003
【図２】
2018053597.tif 000004
【図３】
2018053597.tif 000005
【図４】
2018053597.tif 000006
【図５】
2018053597.tif 000007
【図６】
2018053597.tif 000008
【図７】
2018053597.tif 000009
【図８】
2018053597.tif 000010
【図９】
2018053597.tif 000011
【図１０】
2018053597.tif 000012
【図１１】
2018053597.tif 000013